(57)【要約】【課題】放送波が受信不可能な状況下でのユーザの利便性を向上させる。【解決手段】プロセッサ１１は、地デジの電波が受信不可能となった場合、地デジの電波が受信可能となるまでの復帰時間をメモリ５内のカバーエリアとＧＰＳ部３が取得する現在位置と車速センサ４が検出する速度とに基づき予測して、予測した復帰時間が設定時間を越える場合、地デジ以外のソースへと切替える切替え案内をディスプレイ９またはスピーカ１０からユーザに提供させる。よって、放送波の復帰時間がユーザ所望の設定時間より長い場合に、ユーザは、切替え案内に従って放送波以外のソースへと容易に切り替え可能となる。【選択図】図１
2015089074.tif 000002
【特許請求の範囲】
【請求項１】
入出力装置を介して、ユーザが行う操作を受け付けると共に、放送波または当該放送波以外のソースからの情報をユーザに提供することが可能であり、移動体に搭載される放送受信装置において、
前記移動体の現在位置を取得する位置取得部と、
前記移動体の移動速度を取得する速度取得部と、
前記放送波の受信可能なエリアを示すカバーエリアを記憶する記憶部と、
前記放送波からの情報をユーザに提供中に前記放送波が受信不可能となった場合、前記放送波が受信可能となるまでの復帰時間を、前記記憶部に記憶されたカバーエリアと前記位置取得部が取得した現在位置と前記速度取得部が取得した移動速度とに基づき予測して、前記予測した復帰時間が設定時間を越える場合、ユーザに提供する情報を前記放送波から前記放送波以外のソースへと切替える切替え案内を、前記入出力装置を介してユーザに提供し、当該切替え案内に対するユーザの操作を、前記入出力装置を介してユーザから受け付ける制御部とを備えることを特徴とする放送受信装置。
【請求項２】
前記制御部は、前記移動体の移動ルートが決まっている場合、前記位置取得部が取得した現在位置から前記移動ルートに沿った前記カバーエリアまでの距離と、前記速度取得部が取得した移動速度に基づき前記復帰時間を予測することを特徴とする請求項１記載の放送受信装置。
【請求項３】
前記制御部は、前記移動体の移動ルートが決まっていない場合、前記位置取得部が取得した現在位置から前記移動体の移動方向上にある前記カバーエリアまでの距離と、前記速度取得部が取得した移動速度に基づき前記復帰時間を予測することを特徴とする請求項１記載の放送受信装置。
【請求項４】
前記制御部は、前記記憶部に前記カバーエリアが記憶されていない場合、前記放送波が受信不可能から受信可能となった地点に基づき前記カバーエリアを作成して前記記憶部に記憶させることを特徴とする請求項１から請求項３のうちのいずれか１項記載の放送受信装置。
【請求項５】
前記制御部は、前記記憶部に前記カバーエリアが記憶されている場合、前記放送波が受信不可能から受信可能となった地点に基づき前記記憶部に記憶されている前記カバーエリアを修正することを特徴とする請求項１から請求項４のうちのいずれか１項記載の放送受信装置。
【請求項６】
前記制御部は、前記放送波から前記放送波以外のソースへと切替える切替え案内を提供した後に、前記放送波が受信可能となった場合、ユーザに提供する情報を前記放送波以外のソースから前記放送波へと切替える切替え案内を、前記入出力装置を介してユーザに提供することを特徴とする請求項１から請求項５のうちのいずれか１項記載の放送受信装置。
【請求項７】
前記制御部は、前記放送波からの情報をユーザに提供中に前記放送波が受信不可能となった場合、前記放送波以外のソースからの情報の提供時間と前記予測した復帰時間に基づき前記放送波以外のソースの中からユーザに提供するソースを選択し、ユーザに提供する情報を前記放送波から当該選択したソースへと切替える切替え案内を、前記入出力装置を介してユーザに提供することを特徴とする請求項１から請求項６のうちのいずれか１項記載の放送受信装置。
【発明の詳細な説明】
【技術分野】
【０００１】
本発明は、放送波を受信してユーザに提供する放送受信装置に関するものである。
【背景技術】
【０００２】
放送受信装置が移動体（例えば車両）に搭載された場合、放送波として例えば地上波デジタル放送（以下、地デジと称す）の電波を送信している電波塔のカバーエリアを車両が走行した際は、地デジの電波が受信可能であるため、放送受信装置がユーザに提供する地デジの動画と音声は止まらない。しかし、車両が、地デジの電波を送信している電波塔のカバーエリアを外れて未カバーエリアを走行した場合は、地デジの電波が受信不可能となるため、放送受信装置がユーザに提供する地デジの動画と音声が止まってしまう。
【０００３】
このように、それまで受信していた放送波が受信不可能となったとき、対処方法としては例えば特許文献１，２に示されるものがあり、以下の通りである。
特許文献１には、出力している放送番組に対応する出力放送波が受信不可能な状態である場合、出力放送波が受信可能な状態に復帰する見込みがあるか否かを判断し、その判断結果をユーザに提供する出力装置が記載されている。
また、特許文献２には、カーラジオの放送波受信中にその受信レベルが低下したとき、出力するソースを自動的にカセットテーププレーヤ、ＣＤ（Ｃｏｍｐａｃｔ Ｄｉｓｃ）プレーヤ等の他のオーディオ機器に切り替えるオートセレクタ装置が記載されている。
【先行技術文献】
【特許文献】
【０００４】
【特許文献１】特開２０１０―１７８０８１号公報
【特許文献２】特開平１０―１６３９１１号公報
【発明の概要】
【発明が解決しようとする課題】
【０００５】
しかしながら、上記特許文献１，２に示された従来技術によると、ユーザは、放送波が受信不可能な状態がどれ程の時間続くのか、つまり、どれ程の時間待つ必要があるのかを把握して、その待ち時間に応じたユーザ自身の判断を、放送受信装置の動作に容易に反映させることができなかった。
例えば、地デジの動画と音声が止まり、復帰するまでの待ち時間が、ユーザにとって長く感じるものであれば、ユーザはＣＤ、ＤＶＤ（Ｄｉｇｉｔａｌ Ｖｅｒｓａｔｉｌｅ Ｄｉｓｃ）、ラジオ等の他のソースへ切り替えたいと考えるし、待ち時間がユーザにとって気にならない程度のものであれば、ユーザは地デジの動画と音声が復帰するのをそのまま待とうと考える。
しかし、待ち時間に応じたユーザ自身のこのような判断を、従来は放送受信装置の動作に容易に反映させることができなかったため、ユーザの利便性が損なわれていた。
【０００６】
本発明は、上記のような課題を解決するためになされたもので、放送波の受信ができない状況下でのユーザの利便性を向上させることを目的とする。
【課題を解決するための手段】
【０００７】
この発明に係る放送受信装置は、移動体の現在位置を取得する位置取得部と、移動体の移動速度を取得する速度取得部と、放送波の受信可能なエリアを示すカバーエリアを記憶する記憶部と、放送波からの情報をユーザに提供中に放送波が受信不可能となった場合、放送波が受信可能となるまでの復帰時間を、記憶部に記憶されたカバーエリアと位置取得部が取得した現在位置と速度取得部が取得した移動速度とに基づき予測して、予測した復帰時間が設定時間を越える場合、ユーザに提供する情報を放送波から放送波以外のソースへと切替える切替え案内を、入出力装置を介してユーザに提供し、当該切替え案内に対するユーザの操作を、入出力装置を介してユーザから受け付ける制御部とを備えることを特徴とするものである。
【発明の効果】
【０００８】
この発明によれば、放送波からの情報をユーザに提供中にその放送波が受信不可能となった場合、制御部が、放送波が受信可能となるまでの復帰時間を予測して、予測した復帰時間が設定時間を越える場合、ユーザに提供する情報を放送波から放送波以外のソースへと切替える切替え案内を提供するので、復帰時間が設定時間より長い場合に、ユーザは放送波以外のソースへと容易に切り替えることができ、放送波の受信ができない状況下でのユーザの利便性が向上する。
【図面の簡単な説明】
【０００９】
【図１】この発明の実施の形態１に係る放送受信装置の構成を示す図である。
【図２】この発明の実施の形態１に係る放送受信装置で用いられる復帰ポイントを説明する俯瞰図である。
【図３】この発明の実施の形態１に係る放送受信装置によるカバーエリアの作成方法を説明する俯瞰図である。
【図４】この発明の実施の形態１に係る放送受信装置の処理を示すフローチャートである。
【図５】この発明の実施の形態１に係る放送受信装置で表示される画像例を示す図である。
【発明を実施するための形態】
【００１０】
実施の形態１．
図１に、この発明の実施の形態１に係る放送受信装置１の構成を示す。
放送受信装置１は、移動体に搭載されるものであり、以下では、車両に搭載された場合を例に説明する。ただし、放送受信装置１は、鉄道車両、航空機、船舶等に搭載してもよいし、人が携帯することで移動するタイプのものであってもよい。
【００１１】
放送受信装置１は、電波塔からの地デジ及びラジオの電波を受信するチューナ２と、ＧＰＳ（Ｇｌｏｂａｌ Ｐｏｓｉｔｉｏｎｉｎｇ Ｓｙｓｔｅｍ）衛星からの電波を受信するＧＰＳ部（位置取得部）３と、車両の移動速度を検出する車速センサ４と、各種情報を記憶するメモリ（記憶部）５と、ＣＤの情報を読み込むＣＤドライブ６と、ＤＶＤの情報を読み込むＤＶＤドライブ７と、ユーザ操作を受け付ける入力装置（入出力装置）８と、画像を表示するディスプレイ（入出力装置）９と、音声を出力するスピーカ（入出力装置）１０と、これら各構成と電気的に接続され、入力される情報に基づいて、情報の出力及び放送受信装置１全体の制御を行うプロセッサ１１とを備える。
【００１２】
チューナ２は、アンテナ２ａを介して地デジ及びラジオの電波を受信し、プロセッサ１１へデジタル信号またはアナログ信号を出力する。
ＧＰＳ部３は、アンテナ３ａを介してＧＰＳ衛星からの電波を受信し、車両の現在位置を示す情報をプロセッサ１１へ出力する。
車速センサ４は、車両の移動速度を検出し、その情報をプロセッサ１１へ出力する速度取得部である。
【００１３】
メモリ５には、後述する目的地の検索処理、目的地までの走行ルートの探索処理、復帰時間の予測処理等で用いられる地図情報、ユーザに提供可能な楽曲等の音声情報、ユーザに提供可能な映画等の映像情報等、各種情報が予め記憶されており、プロセッサ１１はこれらの情報を読み出すと共に、情報を書き込んで更新及び追加することもできる。また、メモリ５は、プロセッサ１１の一時的な記憶領域としても利用される。
ＣＤドライブ６は、挿入されたＣＤに記憶された音声情報、映像情報等の各種情報を読み込み、その情報をプロセッサ１１へ出力する。同様に、ＤＶＤドライブ７は、挿入されたＤＶＤに記憶された音声情報、映像情報等の各種情報を読み込み、その情報をプロセッサ１１へ出力する。
【００１４】
入力装置８は、例えばリモコン、音声認識による音声入力装置、ディスプレイ９と一体化したタッチパネル等で構成され、ユーザ操作を受け付けてプロセッサ１１へ出力する。
ディスプレイ９には、地図、映像、アイコン、文字等が表示される。これにより、ユーザに視覚的な情報を提供する。これらは、プロセッサ１１を介してディスプレイ９に入力されるものである。例えば、地図であれば、メモリ５内の地図情報が、プロセッサ１１を介してディスプレイ９に出力される。また、映像であれば、チューナ２が受信した地デジの映像情報、メモリ５内の映像情報、ＣＤドライブ６が読み込んだＣＤ内の映像情報、又は、ＤＶＤドライブ７が読み込んだＤＶＤ内の映像情報が、プロセッサ１１を介してディスプレイ９に入力される。
【００１５】
スピーカ１０は、音声を出力する。これにより、ユーザに聴覚的な情報を提供する。スピーカ１０が出力する音声は、プロセッサ１１を介してスピーカ１０に入力されるものである。例えば、チューナ２が受信した地デジ及びラジオの音声情報、メモリ５内の音声情報、ＣＤドライブ６が読み込んだＣＤ内の音声情報、又は、ＤＶＤドライブ７が読み込んだＤＶＤ内の音声情報が、プロセッサ１１を介してスピーカ１０に入力される。
なお、入力装置８とディスプレイ９とスピーカ１０は、放送受信装置１に備えずに、放送受信装置１とは別個の装置として構成してもよい。またその際、入力装置８とディスプレイ９とスピーカ１０を、それぞれ別個の装置として構成してもよいし、一つの装置として一体的に構成してもよい。
【００１６】
プロセッサ１１は、上記したプロセッサ１１以外の構成から入力される情報に基づき各種処理を行う制御部として機能する。例えば、目的地を設定する際の目的地の検索処理、設定された目的地までの走行ルートの探索処理、車両の現在位置の検出処理、各種の画像表示処理、音声出力処理等が挙げられる。
またさらに、プロセッサ１１は、地デジの映像及び音声出力処理、ラジオの音声出力処理、ＣＤ及びＤＶＤの再生処理等、各種ソースからの情報をユーザに提供する処理を行う。
【００１７】
ここで、地デジの映像及び音声出力処理に係りプロセッサ１１が行う処理について説明する。
詳細は後述するが、概略を述べると、プロセッサ１１は、チューナ２で受信していた地デジの電波が受信不可能となると、地デジの電波が再び受信可能になるまでの時間（復帰時間）を予測する。そして、予測した復帰時間が設定値を越えた場合は、地デジ以外のソースへの切替を案内する画像をディスプレイ９に出力してユーザに提示する。また、地デジの電波が再び受信できるようになると、今度は地デジへの切替を案内する画像をディスプレイ９に出力してユーザに提示する。
【００１８】
地デジの電波が受信可能か否かは、チューナ２での地デジの電波の受信レベルをプロセッサ１１が検出し、メモリ５に格納されている受信レベルの閾値と比較することで判定できる。この閾値は、ユーザが地デジの動画及び音声をディスプレイ９及びスピーカ１０から正しく視聴できない状態と、ユーザが地デジの動画及び音声をディスプレイ９及びスピーカ１０から正しく視聴できる状態を判別するための値である。
【００１９】
プロセッサ１１が行う復帰時間の予測について説明する。
地デジの電波が受信不可能となってから再び受信可能となるまでの復帰時間は、地デジの電波が受信不可能となったときの車両の位置情報（ＧＰＳ部３から入力される）と、車両の移動速度情報（車速センサ４から入力される）と、次に車両が入る電波塔のカバーエリアの情報（メモリ５に格納されている地図情報）とを用いて予測する。
【００２０】
次に車両がどの電波塔のカバーエリアに入るかは、車両がどのような走行ルートに沿って走るかに依存する。既にユーザにより目的地が入力され、プロセッサ１１により走行ルートが探索されて決定しているのであれば、その探索された走行ルートに沿って車両が移動するとして、車両の現在位置からカバーエリアまでの距離を算出すればよい。あるいは、ユーザによる目的地設定がされておらず走行ルートが決定していないのであれば、走行中の道を道なりに車両が移動する、または、車両の移動方向に沿って直線的に車両が移動するとして、車両の現在位置からカバーエリアまでの距離を算出するなどすればよい。
そして、算出した車両の現在位置からカバーエリアまでの距離を、車両の移動速度で除して復帰時間を予測する。なお、復帰時間の予測で用いる車両の移動速度として、車速センサ４が検出する速度の他に、一般に平均的と考えられている速度（例えば時速４０ｋｍ等）をメモリ５に格納しておき、その情報を用いてもよいし、または、メモリ５内の地図情報に、道路情報に基づく制限速度を予め含めておき、その情報を用いてもよい。これらの場合、速度取得部は、メモリ５から車両の移動速度としての情報を読み出すプロセッサ１１の機能として実現される。なお、速度取得部がプロセッサ１１の機能として実現される場合は、車速センサ４を省略して放送受信装置１を構成してもよい。
【００２１】
また、復帰時間の予測に使用する電波塔のカバーエリアについて説明する。
メモリ５に格納されている地図情報に電波塔の位置情報も含めておくことで、電波塔のカバーエリアを復帰時間の予測に使用できる。
電波塔の位置に加えて、電波塔のカバーエリアについて公表されたデータがあるのであれば、予めそのデータをメモリ５に格納されている地図情報に含めておけばよい。
あるいは、電波塔のカバーエリアについて予め得られるデータが無いのであれば、実際に走行したときの地デジの電波の受信状況をもとにカバーエリアを作成して、メモリ５に格納されている地図情報に含めていくようにしてもよい。実際に走行したときの地デジの電波の受信状況は、下記で説明する復帰ポイントとして、メモリ５に格納されている地図情報に加えられる。
【００２２】
ここで、地デジの電波が受信不可能な状態から受信可能な状態となる地点のことを復帰ポイントと称することとし、図２に具体的に示す。
図２には、電波塔Ａにより形成されたカバーエリアＡ１及び電波塔Ｂにより形成されたカバーエリアＢ１をそれぞれ横切るように、放送受信装置１を搭載した車両Ｍが走行ルートＲに沿って走行する場合について示している。カバーエリアＡ１内は、電波塔Ａが送信する地デジの電波を放送受信装置１で受信可能であり、同様に、カバーエリアＢ１内は、電波塔Ｂが送信する地デジの電波を放送受信装置１で受信可能である。カバーエリアＡ１外かつカバーエリアＢ１外では、放送受信装置１は地デジの電波を受信できない。
【００２３】
車両Ｍは走行ルートＲ上を地点Ｐ1から地点Ｐ4の順に走行しており、地点Ｐ1では、車両ＭはカバーエリアＡ１に入り、地デジの電波が受信不可能な状態から受信可能な状態へと変化する。地点Ｐ2では、車両ＭはカバーエリアＡ１から出て、地デジの電波が受信可能な状態から受信不可能な状態へと変化する。地点Ｐ3では、車両ＭはカバーエリアＢ１に入り、地デジの電波が受信不可能な状態から受信可能な状態へと変化する。地点Ｐ4では、車両ＭはカバーエリアＢ１から出て、地デジの電波が受信可能な状態から受信不可能な状態へと変化する。従って、地点Ｐ1，Ｐ3は復帰ポイントである。
【００２４】
プロセッサ１１は、車両の走行中に車両の位置情報（ＧＰＳ部３から入力される）と地デジの電波の受信レベル（チューナ２から入力される）を適宜検出することで、復帰ポイントを取得し、メモリ５に格納する。
復帰ポイントは、次回走行時に、プロセッサ１１が復帰時間を予測する際に参照される。復帰ポイントは、上記の通り、実際に走行して取得した、地デジの電波が受信不可能状態から受信可能状態へと変化する地点である。従って、地デジの電波が受信不可能となった後、走行ルートの進行先で復帰ポイントを通過する場合は、復帰ポイントからは電波塔のカバーエリアに確実に入ると考えられるので、現在位置から復帰ポイントまでの距離に基づいて復帰時間を予測することで、復帰時間の予測精度を上げることができる。
【００２５】
続いて、復帰ポイントをもとにカバーエリアを作成していく様子について、図３を用いて説明する。
電波塔の位置情報は、メモリ５に格納されている地図情報に予め含まれており、プロセッサ１１が参照できるようになっている。
プロセッサ１１は、車両の走行により電波塔Ｃの周辺に復帰ポイントとして地点Ｐ11を取得すると、図３（ａ）に示すように、例えば電波塔Ｃを中心とし地点Ｐ11を通る円を、電波塔ＣのカバーエリアＣ１として作成する。
【００２６】
更にまた、プロセッサ１１は、車両の走行により電波塔Ｃの周辺に復帰ポイントとして地点Ｐ12を取得すると、図３（ｂ）に示すように、図３（ａ）に示した電波塔ＣのカバーエリアＣ１に更にエリアを付加してカバーエリアを作成する。
このカバーエリアの作成は、例えば、図３（ａ）に示した電波塔ＣのカバーエリアＣ１を、地点Ｐ12を含むように滑らかに変形させてカバーエリアＣ２とすることで行う。または、カバーエリアＣ１に替えて、電波塔Ｃを中心とし地点Ｐ12を通る円を、電波塔ＣのカバーエリアＣ３とすることで行ってもよい。
【００２７】
なお、図３では、カバーエリアＣ１に対して、取得した地点Ｐ12（復帰ポイント）に基づき新たにエリアを付加してカバーエリアを作成する場合について示したが、取得した地点Ｐ12がカバーエリアＣ１の内部にある場合、カバーエリアＣ１を一部窪んだ曲線へ変形することが例えば考えられ、この場合は、カバーエリアＣ１のエリアを一部削除してカバーエリアを作成することとなる。または、カバーエリアＣ１に替えて、電波塔Ｃを中心とし当該地点Ｐ12を通る円、つまりカバーエリアＣ１よりも小さい円を、電波塔Ｃのカバーエリアとしてもよい。
【００２８】
なお、電波塔のカバーエリアについて公表されたデータが予めメモリ５に格納されている場合、カバーエリアの初期状態を例えば図３（ａ）のカバーエリアＣ１で示すものとすると、プロセッサ１１は、地点Ｐ12の取得により、図３（ｂ）のカバーエリアＣ２，Ｃ３に示すようにカバーエリアを修正してもよい。
このように、取得した復帰ポイントをもとにカバーエリアを作成又は修正することにより、車両が走行するほどにカバーエリアの正確性を高めることができる。
【００２９】
また、復帰ポイントをもとに作成又は修正された電波塔のカバーエリアは、プロセッサ１１によってメモリ５に記憶され、次回走行時に、プロセッサ１１が復帰時間を予測する際に参照される。
上記したような現在位置から復帰ポイントまでの距離に基づいて復帰時間を予測する方法が実施できるのは、地デジの電波が受信不可能となった後、走行ルートの進行先で復帰ポイントとされる地点を通過する場合に限られる。つまり、復帰ポイントとされる地点を２回目以降に走行する場合に限られる。
これに対し、復帰ポイントをもとに電波塔のカバーエリアを作成又は修正することで、復帰ポイントとされる地点ではなくその周辺を走行する場合でも、復帰時間の予測精度を上げることができる。つまり、初めて走行する地点での地デジ電波の受信状況を、精度よく予測できる。
【００３０】
つぎに、上記のように構成された放送受信装置１による処理について、図４に示すフローチャートを用いて説明する。
図４は、放送受信装置１の処理フローの一例である。また、図５には、プロセッサ１１がディスプレイ９に出力する画像の例を示している。
【００３１】
車両のエンジンがオンになると、プロセッサ１１は、ディスプレイ９に切替え時間を設定するための画像を表示させる。切替え時間とは、ユーザが地デジを視聴中に地デジの電波が受信不可能となって地デジの動画と音声が止まったとき、その状態のまま待ってもよいとユーザが考える時間の上限値を示す。
このとき、ユーザは、入力装置８を介して任意の切替え時間を設定し、設定された切替え時間は、プロセッサ１１によりメモリ５に記憶される（ステップＳＴ１）。
なお、このとき、次回エンジンをオンにしたときにも切替え時間を設定するための画像を表示させるか否かを、ユーザが設定できるようにしてもよい。また、エンジンをオンにしたとき以外でも、例えばユーザの要求に応じて切替え時間の設定ができるようにしてもよい。
【００３２】
続いて、プロセッサ１１は、ディスプレイ９及びスピーカ１０から、地デジの動画及び音声を提供しているか否かを判定する（ステップＳＴ２）。
地デジの動画及び音声を提供していないのであれば（ステップＳＴ２；ＮＯ）、地デジの動画及び音声を提供していると判定するまでステップＳＴ２の処理を繰り返す。
【００３３】
一方、地デジの動画及び音声を提供しているのであれば（ステップＳＴ２；ＹＥＳ）、続いて、プロセッサ１１は、チューナ２での地デジの電波の受信レベルを検出し、地デジの電波が受信可能か否かを判定する（ステップＳＴ３）。
地デジの電波が受信可能であれば（ステップＳＴ３；ＹＥＳ）、受信不可能になるまでステップＳＴ３の処理を繰り返す。
【００３４】
一方、地デジの電波が受信不可能であれば（ステップＳＴ３；ＮＯ）、続いて、プロセッサ１１は、上述したような方法で復帰時間の予測を行う（ステップＳＴ４）。
続いて、プロセッサ１１は、ステップＳＴ４で予測した復帰時間とステップＳＴ１で記憶した切替え時間を比較し、復帰時間が切替え時間を越えているか否かを判定する（ステップＳＴ５）。
復帰時間が切替え時間を越えていないのであれば（ステップＳＴ５；ＮＯ）、後述するステップＳＴ８の処理へ移る。
【００３５】
一方、復帰時間が切替え時間を越えているのであれば（ステップＳＴ５；ＹＥＳ）、プロセッサ１１は、復帰時間の通知と他のソース（ＣＤ、ＤＶＤ、ラジオ等）への切替え案内のための画像をディスプレイ９に表示させる（ステップＳＴ６）。
図５（ａ）は復帰時間の通知のための画像例であり、復帰時間が表示される。図５（ｂ）は他のソースへの切替え案内のための画像例であり、切替え可能なソースが選択可能に一覧表示される。プロセッサ１１は、図５（ａ）に示す画像を表示させた後に図５（ｂ）に示す画像を表示させる。
なお、復帰時間の通知と他のソースへの切替え案内を別々の画像として表示せずに、１つの画像でまとめて表示させてもよい。
【００３６】
ステップＳＴ６での復帰時間の通知と他のソースへの切替え案内を受けて、ユーザは、他のソースへの切替えを行うか、または、地デジが再度提供されるまでそのまま待つかを選択する。希望した選択は入力装置８を介してプロセッサ１１に入力される（ステップＳＴ７）。
ユーザが、地デジが再度提供されるまで待つことを希望したのであれば（ステップＳＴ７；ＮＯ）、プロセッサ１１は、ディスプレイ９及びスピーカ１０への出力ソースを地デジとして、地デジの電波が受信可能となると直ちに地デジの動画と音声を提供できるよう、地デジの提供の待機状態に入る。
【００３７】
続いて、プロセッサ１１は、チューナ２での地デジの電波の受信レベルを検出し、地デジの電波が受信可能か否かを判定する（ステップＳＴ９）。
地デジの電波が受信不可能であれば（ステップＳＴ９；ＮＯ）、受信可能になるまでステップＳＴ９の処理を繰り返す。
一方、地デジの電波が受信可能であれば（ステップＳＴ９；ＹＥＳ）、後述するステップＳＴ１５の処理へ移る。
【００３８】
ステップＳＴ７にて、ユーザが、他のソースへの切替えを希望したのであれば（ステップＳＴ７；ＹＥＳ）、プロセッサ１１は、ユーザにより選択されたソースからの情報をディスプレイ９へ及びスピーカ１０を介してユーザに提供する（ステップＳＴ１０）。なお、ここでは、ユーザが選択したソースがＣＤであったものとして説明する。
【００３９】
続いて、プロセッサ１１は、チューナ２での地デジの電波の受信レベルを検出し、地デジの電波が受信可能か否かを判定する（ステップＳＴ１１）。
地デジの電波が受信不可能であれば（ステップＳＴ１１；ＮＯ）、受信可能になるまでステップＳＴ１１の処理を繰り返す。
一方、地デジの電波が受信可能であれば（ステップＳＴ１１；ＹＥＳ）、プロセッサ１１は、地デジへの切替え案内のための画像をディスプレイ９に表示させる（ステップＳＴ１２）。この地デジへの切替え案内では、地デジへの切替えと現在提供されているソースの継続の２つの選択肢のみを案内してもよいし、図５（ｃ）に示すように、ＣＤ以外のソース（ＤＶＤ、ラジオ等）も選択可能に案内してもよい。なお、ここでは、２つの選択肢のみを案内したものとして説明する。
【００４０】
ユーザは、地デジへの切替え案内を受けて、地デジへの切替えを行うか、または、現在提供されているソース（ＣＤ）を継続して提供させるかを選択する。希望した選択は入力装置８を介してプロセッサ１１に入力される（ステップＳＴ１３）。
ユーザが、現在提供されているソース（ＣＤ）を継続して提供させることを希望したのであれば（ステップＳＴ１３；ＮＯ）、プロセッサ１１は、提供中のソース（ＣＤ）からの情報を継続して提供する（ステップＳＴ１４）。
【００４１】
一方、ユーザが、地デジへの切替えを希望したのであれば（ステップＳＴ１３；ＹＥＳ）、プロセッサ１１は、ディスプレイ９及びスピーカ１０から、地デジの動画及び音声を提供する（ステップＳＴ１５）。ステップＳＴ１５の後は、ステップＳＴ３の処理へ移る。
【００４２】
上記では、ステップＳＴ５で復帰時間が切替え時間を越えていないのであれば、ステップＳＴ８の処理に移るとした。つまり、ユーザは、復帰時間の通知と他のソースへの切替え案内を受けることなくしばらくの間、地デジの動画及び音声が止まっている状況下に置かれるが、これにより暗に、設定した切替え時間内には地デジの提供が再開されると知ることができる。あるいは、このとき、復帰時間をユーザに通知するようにしてもよい。
【００４３】
なお、図５（ｂ）に示す他のソースへの切替え案内のための画像例では、切替え可能な他のソースとして、ＣＤ、ＤＶＤ、ラジオ等を列挙するものを示したが、ＣＤ、ＤＶＤ等に記憶されている具体的なコンテンツ（動画ファイル、音声ファイル等）を、切替え可能な他のソースとして列挙してもよい。
【００４４】
または、復帰時間に応じて、プロセッサ１１が適当なコンテンツを検索して、切替え案内時に表示させてもよい。
例えば、復帰時間が３０分と予測された場合、プロセッサ１１は、ＣＤ、ＤＶＤ等に記憶され、３０分程度の間提供可能なコンテンツを対象として検索して、該当したコンテンツを優先的に表示させ、ユーザにより選択可能とする。効率的にコンテンツの検索ができるよう、プロセッサ１１は、ＣＤ、ＤＶＤ等に記憶されたコンテンツの再生時間（提供時間）を予めメモリ５に記憶しておいてもよい。
このようにすることで、地デジの電波が受信不可能となってから再度受信可能となるまでの時間を、ユーザはより有意義に使うことができる。
【００４５】
また、上記では、ステップＳＴ６での復帰時間の通知と他のソースへの切替え案内、ステップＳＴ１２での地デジへの切替え案内を、プロセッサ１１がディスプレイ９に表示させることでユーザに視覚的に知らせるものを示したが、スピーカ１０から音声を出力させることでユーザに知らせてもよい。
【００４６】
また、上記では、プロセッサ１１は、目的地の検索処理、目的地までの走行ルートの探索処理等のナビゲーション機能を有しているものとしたが、ナビゲーション機能を有さないものであってもよい。この場合、ナビゲーション機能を有する装置を別個移動体に搭載し、その装置から放送受信装置１へ、走行ルートの探索処理で探索した走行ルートに関する情報等が入力されるように構成してもよい。
【００４７】
また、上記では、地デジの電波が受信不可能となったときの復帰時間予測、他のソースへの切替え案内、他のソースへ切り替えた後の地デジへの切替え案内について説明したが、地デジに限らず電波塔から送信される放送波（例えばラジオ等）を対象として上記した復帰時間予測、他のソースへの切替え案内、他のソースへ切り替えた後の切替え案内を行ってもよい。
【００４８】
以上のように、この実施の形態１に係る放送受信装置によれば、プロセッサ１１が、地デジの電波が受信不可能となった場合に地デジの電波が受信可能となるまでの復帰時間を予測し、予測した復帰時間が設定時間を越える場合は、地デジ以外のソースへと切替える切替え案内を行うこととした。従って、復帰時間がユーザが設定した設定時間より長い場合に、ユーザは地デジ以外のソースへと容易に切り替えることができ、地デジの電波が受信不可能な状況下でのユーザの利便性を向上させることができる。
【００４９】
また、プロセッサ１１は、メモリ５にカバーエリアが記憶されていない場合は、復帰ポイントに基づきカバーエリアを作成して、メモリ５に記憶させ、メモリ５にカバーエリアが記憶されている場合は、復帰ポイントに基づきメモリ５に記憶されているカバーエリアを修正することとした。従って、車両が走行するほどにカバーエリアの正確性を高めて、復帰時間の予測精度を向上させることができる。
【００５０】
また、プロセッサ１１は、地デジの電波が受信不可能となってから再び受信可能となった場合、地デジへ切替える切替え案内を行うこととした。従って、地デジの電波が再度受信可能となったときに、ユーザは地デジへと容易に切り替えることができ、ユーザの利便性を向上させることができる。
【００５１】
また、プロセッサ１１が、ＣＤ、ＤＶＤ等に記憶されたコンテンツの提供時間と復帰時間に基づき選択したコンテンツを、地デジ以外のソースへと切替える切替え案内でユーザに提供させることとした。従って、地デジの電波が受信不可能となってから再度受信可能となるまでの時間を、ユーザはより有意義に使うことができる。
【００５２】
なお、本願発明はその発明の範囲内において、実施の形態の任意の構成要素の変形、もしくは実施の形態の任意の構成要素の省略が可能である。
【符号の説明】
【００５３】
１  放送受信装置、２  チューナ、２ａ  アンテナ、３  ＧＰＳ部（位置取得部）、３ａ  アンテナ、４  車速センサ、５  メモリ（記憶部）、６  ＣＤドライブ、７  ＤＶＤドライブ、８  入力装置（入出力装置）、９  ディスプレイ（入出力装置）、１０  スピーカ（入出力装置）、１１  プロセッサ。
【図１】
2015089074.tif 000003
【図２】
2015089074.tif 000004
【図３】
2015089074.tif 000005
【図４】
2015089074.tif 000006
【図５】
2015089074.tif 000007